(57)【要約】【課題】ガス圧力により薬液吸入・噴射が行なえ、薬液注射量の定量性の高い針無注射器を提供する。【解決手段】シリンダボディ４内に連通孔４ｂを有する隔壁４ｃを形成し、後端にキャップ４１を螺着して形成されるガス室４ｅには内周面を摺動移動する受圧ピストン５２、前記隔壁４ｃの前方のガス室４ｄには内周面を摺動移動するボール押さえ６５を配設する。給排切替部７によりガス室４ｄの給排気を行い、ガス供給切替部８によりガス室４１ａとガス室４ｅの給排気を行なう。ノズルホルダ３を前進させて薬液バイアルＢから薬液Ｙを吸入した後、レバー７１を引いてガス室４ｄに高圧ガスＧを供給し、ボール押さえ６５を前進させ、ラッチを解除して、受圧ピストン５２を前進させて薬液Ｙを噴射する。再度薬液バイアルＢから薬液Ｙを吸入するには、ガス室４ｅに高圧ガスＧを供給し、ガス室４１ａの高圧ガスＧを排気し、受圧ピストン５２を後退させて行なう。【選択図】            図１
2009247762.tif 000002
【特許請求の範囲】
【請求項１】
受圧部を有するピストンで押圧して薬液を付勢させ、ノズルからジェット噴射させて注射を行なう針無注射器において、前記ノズルを有するノズルホルダと、前記ノズルホルダと接続され、前後に連通する連通孔を有する隔壁を有し、前記隔壁を介して、前記ピストンを収容する第１及び第２のシリンダ部位を形成すると共に、前記第２のシリンダ部位が前記ピストン受圧部を収容するシリンダボディと、前記第１のシリンダ部位に配設され、加圧された状態の前記ピストンをラッチすると共に、受圧部を備え、前記受圧部の加圧による移動によってラッチ解除を行なうラッチ機構と、前記シリンダボディに配設され、前記第１のシリンダ部位に高圧ガスを供給、排気するための第１のガス流路と、高圧ガス源からの高圧ガスの前記第１のガス流路への供給、非供給、排気を切り替える第１のガス切替手段とを備えたことを特徴とする針無注射器。
【請求項２】
請求項１記載の針無注射器において、さらに、第２のシリンダ部位であって前記隔壁と前記ピストンの隔壁側の受圧部間に高圧ガスを供給、排気するための第２のガス流路と、高圧ガス源からの高圧ガスの前記第２のガス流路と第２のシリンダ部位の後側ガス室への供給、非供給、排気を切り替える第２のガス切替手段とを備えたことを特徴とする針無注射器。
【請求項３】
前記ラッチ機構は、ピストンに形成された外周溝と、この外周溝にはまり込むラッチボールと、当該ラッチボールを収容して軸方向に移動可能なラッチボール受けと、前記第１のシリンダ部に密着して摺動移動し、前記ラッチボールの外周溝からの抜け出しを防止するボール押さえと、このボール押さえに一端を当接する圧縮バネと、その他端を当接するバネストッパとを備え、圧縮バネの押圧によるボール押さえの移動によるピストンのラッチ及び前記隔壁の前方へ供給する高圧ガスの押圧によるピストンのラッチ解除を行なうことを特徴とする請求項１及び２記載の針無注射器。
【請求項４】
前記第１のガス切替手段は、シリンダボディ下部に配設されるグリップ内に形成される段差付中空孔と、この段差付中空孔の中間部と前記隔壁の前方のガス室を連結するガス流路と、後部寄りに外周溝を形成しその前方にシールパッキンを嵌着し、後端に前記段差付中空孔に当接して高圧ガスの流路を遮断するストップ弁を固着したロッドと、前記段差付中空孔の後端に螺着されるキャップと、このキャップと前記ストップ弁間に介設される圧縮バネと、前記ロッドを押圧して前記ガス室に対する高圧ガスの供給、非供給、排気を切換える切替レバーとを備え、前記第２のガス切替え手段が高圧ガス供給の状態では、前記切替レバーを引いてロッドを押圧することにより、高圧ガスを前記隔壁の前方のガス室に供給し、受圧部への加圧により前記ボール押さえを前進させて前記ピストンを発進させ、前記切替レバーを放してロッドを戻すことにより前記ガス室への高圧ガスの供給を遮断し、前記第２のガス切替え手段が高圧ガス排気の状態では、前記切替レバーを引いてロッドを押圧することにより、前記ガス室から高圧ガスを排気することを特徴とする請求項１記載の針無注射器。
【請求項５】
前記第２のガス切替手段は、シリンダボディ下部に配設されるグリップ内に間隔を設けて並設した３個の内周溝を有する中空孔と、前方の内周溝と前記隔壁の後方のガス室を連結するガス流路と、中間部の内周溝に高圧ガスを供給するガス供給口と、後方の内周溝を介してピストン受圧部後部の高圧ガスを排気する隙間と、受圧部後部のガス室に高圧ガスの供給、非供給、排気を行なう流路接続口と、前記段差付中空孔の後部ガス室に高圧ガスの供給、排気を行なう流路接続口と、２箇所に広径段差部を並設し、その広径段差部にシールパッキンを嵌着し、前記中空孔に内挿されるロッドと、前記ロッドを押圧して前記ガス室への高圧ガスの供給を遮断し、室内ガスを放出する切替レバーとを備え、前記切替レバーを引いて前記ガス室内の高圧ガスを放出し、前記受圧部後部のガス室に高圧ガスを供給し、前記ロッドを後方より押し込むことにより、前記隔壁の後方のガス室に高圧ガスを供給し、前記受圧部後部の室内ガスを排気することを特徴とする請求項２記載の針無注射器。
【発明の詳細な説明】
【技術分野】
【０００１】
本発明はノズルの噴射孔から吸入した一定量の薬液、または、ノズル内に充填されている薬液を、ガス圧駆動のピストンで押圧してジェット噴射し注射を行なう針無注射器に関する。
【背景技術】
【０００２】
針無注射器はその先端部の噴射孔から一定量吸入したノズル内の薬液、またはあらかじめノズル内に充填されている薬液をピストンで押し出し、噴射孔からジェット噴射することにより、薬液を患者（人間以外の動物も含む）に注入する注射器である。すなわち、針無注射器による注射は注射針を使用しないため、針刺し事故の防止、先端恐怖症の患者に使用が容易等の利点があり、例えば糖尿病患者自身が日常的にインシュリンを自己注射する場合にも用いられている。また、遺伝子薬の導入等にも使用され、針有り注射器と比べて薬効が高い等の発表もされている。
【０００３】
従来の針無注射器においては、一般に図９に示すような構造のノズル１０１内のピストン１０２を圧縮バネ１０３を動力源として高速前進させるタイプものが多用されている（特許文献１参照）。針無注射器は噴射孔１０１ａを有するノズル１０１が組み込まれた前側グリップ１０４と、ピストン１０２を連結したピストンロッド１０５をラッチまたは解除するラッチ機構１０６とラッチを解除して注射を行なう注射ボタン１０７を組み込んだ後側グリップ１０８をネジ部１０９で螺合させて構成される。前記ピストンロッド１０５の前方部にはネジ部１１０が設けられて圧縮力を調節して薬液の噴射力を調節するためのナット１１１が螺合され、さらにその先端にはフランジリング１１２が一体的に固定され、前記ナット１１１と後側グリップ１０８の後方内壁間にピストンロッド１０５を通して圧縮バネ１０３が取り付けられている。
【０００４】
上記針無注射器の後側グリップ１０８を回転して前進させると、ラッチ機構１０６にはピストンロッド１０５をラッチして圧縮バネ１０３を圧縮し、この圧縮力によりピストンロッド１０５に前進方向の運動力が付勢される。この状態で薬液バイアル（図示省略）にノズル１０１を接触させて後側グリップ１０８を後退させて薬液を吸入する。そして注射部位にノズル１０１を押し当てたままで注射ボタン１０７を押してピストンロッド１０５のラッチを解除すると、圧縮バネ１０３は伸長してピストン１０２が前進し薬液が注射される。
【特許文献１】特開２０００−２３３０２１号公報
【発明の開示】
【発明が解決しようとする課題】
【０００５】
従来の針無注射器は上記のように構成されているが、注射を行なう都度圧縮バネを圧縮してピストンロッドを後側グリップにラッチする操作を必要とし、その操作には面倒でかつ力のいる労力が必要とされる。特に、同じ量の薬液を繰り返し注射する作業を行なう場合には、その使用者に大きな肉体的負担が強いられる。また、強力な圧縮バネを使用するため、注射時の衝撃による振動や衝撃音が発生し取り扱いが難しいという問題があった。
【０００６】
上記のような圧縮バネ方式の針無注射器の問題点を改良する注射器として、高圧ガスをピストンロッドの駆動動力源とする針無注射器も実用化されているが、高圧ガスを通す弁を開いてからピストンロッドにガス圧が掛かり始めるため、ピストンロッドの動き出しが遅く、薬液をスムーズに皮膚に貫通させるガス圧に達するまでの時間内に薬液が漏れてしまい、薬液注射量の定量性を低下させるという問題がある。
【課題を解決するための手段】
【０００７】
本発明の針無注射器は、上記の目的を達成するため、受圧部を有するピストンで押圧して薬液を付勢させ、ノズルからジェット噴射させて皮下注射を行なう針無注射器において
、前記ノズルを有するノズルホルダと、前記ノズルホルダと接続され、前後に連通する連通孔を有する隔壁を有し、前記隔壁を介して、前記ピストンを収容する第１及び第２のシリンダ部位を形成すると共に、前記第２のシリンダ部位が前記ピストン受圧部を収容するシリンダボディと、前記第１のシリンダ部位に配設され、加圧された状態の前記ピストンをラッチすると共に、受圧部を備え、前記受圧部の加圧による移動によってラッチ解除を行なうラッチ機構と、前記シリンダボディに配設され、前記第１のシリンダ部位に高圧ガスを供給、排気するための第１のガス流路と、高圧ガス源からの高圧ガスの前記第１のガス流路への供給非供給及び第１のガス流路からの排気を切り替える第１のガス切替手段とを備えたものである。
【０００８】
さらに、第２のシリンダ部位であって前記隔壁と前記ピストンの隔壁側の受圧部間に高圧ガスを供給、排気するための第２のガス流路と、高圧ガス源からの高圧ガスの前記第２のガス流路への供給非供給及び第２のガス流路からの排気を切り替える第２のガス切換手段とを備えたものである。
【０００９】
また、本発明によるラッチ機構は、ピストンに形成された外周溝と、この外周溝にはまり込むラッチボールと、当該ラッチボールを収容して軸方向に移動可能なラッチボール受けと、前記第１のシリンダ部に密着して摺動移動し、前記ラッチボールの外周溝からの抜け出しを防止するボール押さえと、このボール押さえに一端を当接する圧縮バネと、その他端を当接するバネストッパとを備え、圧縮バネの押圧によるボール押さえの移動によるピストンのラッチ及び前記隔壁の前方へ供給する高圧ガスの押圧によるピストンのラッチ解除を行なうものである。
【００１０】
本発明による第１のガス切替手段は、シリンダボディ下部に配設されるグリップ内に形成される段差付中空孔と、この段差付中空孔の中間部と前記隔壁の前方のガス室を連結するガス流路と、後部寄りに外周溝を形成しその前方にシールパッキンを嵌着し、後端に前記段差付中空孔に当接して高圧ガスの流路を遮断するストップ弁を固着したロッドと、前記段差付中空孔の後端に螺着されるキャップと、このキャップと前記ストップ弁間に介設される圧縮バネと、前記ロッドを押圧して前記ガス室に対する高圧ガスの供給、非供給、排気を切換える切替レバーとを備え、前記第２のガス切替え手段が高圧ガス供給の状態では、前記切替レバーを引いてロッドを押圧することにより、高圧ガスを前記隔壁の前方のガス室に供給し、受圧部への加圧により前記ボール押さえを前進させて前記ピストンを発進させ、前記切替レバーを放してロッドを戻すことにより前記ガス室への高圧ガスの供給を遮断し、前記第２のガス切替え手段が高圧ガス排気の状態では、前記切替レバーを引いてロッドを押圧することにより、前記ガス室から高圧ガスを排気するものである。
【００１１】
本発明による第２のガス切替手段は、シリンダボディ下部に配設されるグリップ内に間隔を設けて並設した３個の内周溝を有する中空孔と、前方の内周溝と前記隔壁の後方のガス室を連結するガス流路と、中間部の内周溝に高圧ガスを供給するガス供給口と、後方の内周溝を介してピストン受圧部後部の高圧ガスを排気する隙間と、受圧部後部のガス室に高圧ガスの供給、非供給、排気を行なう流路接続口と、前記段差付中空孔の後部ガス室に高圧ガスの供給、排気を行なう流路接続口と、２箇所に広径段差部を並設し、その広径段差部にシールパッキンを嵌着し、前記中空孔に内挿されるロッドと、前記ロッドを押圧して前記ガス室への高圧ガスの供給を遮断し、室内ガスを放出する切替レバーとを備え、前記切替レバーを引いて前記ガス室内の高圧ガスを放出し、前記受圧部後部のガス室に高圧ガスを供給し、前記ロッドを後方より押し込むことにより、前記隔壁の後方のガス室に高圧ガスを供給し、前記受圧部後部の室内ガスを排気するものである。
【発明の効果】
【００１２】
本針無注射器は、始めからピストンにガス圧がかかっているので、ラッチ解除後の動き出しが早くなり、皮膚を貫通するまでのガス圧が早く到達するので薬液の漏れも少なくなる。またピストン駆動用の圧縮バネを使用しないので、低いガス圧で注射が可能となる。
また、外部から供給される高圧ガスを動力源として用いるので、ガス圧を変えるだけで噴射力を変えることができ、噴射力の調整範囲が広く取れ、広い用途に用いることができる。
さらに、本針無注射器は、薬液吸入も高圧ガスを動力源として行なえるので、注射の都度前側、後側グリップを操作して圧縮バネを圧縮し薬液を吸入する操作が省略され、特に同じ薬液量を繰り返し注射する場合に労力を省略できる。
【発明を実施するための最良の形態】
【００１３】
本発明の針無注射器の実施例を図面を参照しながら以下に説明する。図１は本発明の実施例による針無注射器１の構成を示す正面図（Ａ）、Ａ−Ｂ断面図（Ｂ）、背面図（Ｃ）およびＡ−Ｃ断面図（Ｄ）である。
【００１４】
本発明の針無注射器１は、図１に示すように薬液を吸入し、この薬液を噴射する噴射孔２ａと吸入した薬液を貯留しておく中空孔２ｂを形成したノズル２を先端部に螺着すると共に、軸方向の中空孔３ａと後部外周面におねじ３ｂを形成したノズルホルダ３と、該ノズルホルダ３と螺合させるためのめねじ４ａを先端内周面に形成すると共に中心部に連通孔４ｂを有する隔壁４ｃを形成する。
【００１５】
その前後部をシリンダにしてガス室４ｄおよびガス室４ｅとして使用し、後端にキャップ４１をねじ４２により螺着したシリンダボディ４と、前記ノズルホルダ３とシリンダボディ４に貫設される薬液押圧具５と、該薬液押圧具５を前記シリンダボディ４にラッチさせるためのラッチ機構部６と、ラッチ状態、ラッチ状態の解除を行なうための高圧ガスの供給、非供給、排気を切替える給排切替部７と、高圧ガスの供給先（給排切替部７、ガス室４ｅ、４１ａ）を切り替えるガス供給切替部８を内設し、前記シリンダボディ４の下部に螺着されるグリップ９から構成されている。薬液噴射の動力源として使用する高圧ガスＧは、チューブ１０を介し継手１１に供給される。
【００１６】
前記薬液押圧具５は、パッキン５１を嵌合してガス室４ｅ内壁に密着して摺動移動する受圧ピストン５２と、パッキン５３を嵌合してノズル２の中空孔２ｂ内壁に密着して摺動移動するピストン５４と、これらを連結すると共にストッパ５５を挿着し外周溝５６ａを形成したピストンロッド５６を連結して構成される。
【００１７】
前記ラッチ機構部６は、複数個のラッチボール６１と、軸方向に貫通すると共に先端外周面におねじ６ａとその後方に各ラッチボール６１を円周方向に移動させる貫通孔６３ａを形成し、ピストンロッド５６との間をシールするパッキン６３Ａと隔壁４ｃとの間をシールするパッキン６３Ｂを嵌合し、ねじ６２によりシリンダボディ４に螺着されるボール受け６３と、ピストンロッド５６の外周上に形成された外周溝５６ａと、パッキン６４とパッキン６４Ａを嵌合して前記ガス室４ｄの内壁に密着して摺動移動するボール押さえ６５と、このボール押さえ６５に後方への付勢力を与える圧縮バネ６６とその一端を当接させるバネストッパ６７から構成される。
【００１８】
前記給排切替部７は、薬液の噴射または吸入の切替操作を行なうレバー７１と、パッキン７２を嵌着しストップ弁７５を螺着し、前記レバー７１に連動して高圧ガスのガス室４ｄへの吸入または排気動作を切り替えるための外周溝７３ａを形成し、前記グリップ９内に形成された段差付中空孔９ｆ内を進退する給排気ロッド７３と、前記段差付中空孔９ｆの一端を密閉するキャップ７４と、該キャップ７４と前記ストップ弁７５間に介在する圧縮バネ７６と、前記ガス室４ｄと段差付中空孔９ｆ間に連通する流路９ｂ、９ｃから構成される。
【００１９】
前記ガス供給切替部８は、高圧ガスの供給方向の切替操作を行なうレバー８１と、前記グリップ９内に段差付貫通孔として形成されたガス給排室８ａと、該ガス給排室８ａに挿入され、パッキン８２ａ、８２ｂ、８２ｃ、８２ｄを嵌着し、前記レバー８１と連動して後退し、後端を押すことにより前進してガス供給方向の切替を行なう供給方向切替ロッド８２と、前記ガス給排室８ａと前記ガス室４ｅとを連結する流路９ｄ、９ｅから構成される。
【００２０】
上記構成の針無注射器１による薬液の吸入から注射までの操作手順とその動作状態を図１〜図８を参照しながら以下に詳細に説明する。なお、図１から図８において同一の符号で示される部品は、同一の機能を有するものである。図２は、針無注射器１のレバー８１を引き戻した時点での断面図（Ａ）とその一部のＬ−Ｍ断面図（Ｂ）である。図３〜図７は、それぞれ針無注射器１の薬液吸入時点、薬液噴射開始時点、薬液噴射終了前時点、薬液噴射終了時点、再度の薬液吸入時点および薬液噴射前時点の動作状態を示す断面図である。なお、図中斜線部分は薬液または高圧ガスが供給されている部分を示す。
【００２１】
（１）図１に示す針無注射器１のようにノズルホルダ３を回転してシリンダボディ４の先端に当接させた後、図２に示すようにレバー８１を引いて供給方向切替ロッド８２を後退（図面右方向に移動）させてからレバー８１を放す。そして、チューブ１０を介し高圧ガスＧを継手１１を通して供給する。
【００２２】
高圧ガスＧは、図２の矢印で示されるように継手１１に連通するガス供給切替部８のガス給排室８ａのパッキン８２ｂとパッキン８２ｄで密封された空間部分と、流路１２、１３を介して前記空間部分と連通する給排切替部７のガス室９ａと、継手１４、チューブ１５、継手１６を介して前記ガス給排室８ａと連通する前記受圧ピストン５２の後部のガス室４１ａにそれぞれ供給され、これらの室内はそれぞれ高圧状態になる。
【００２３】
これにより、受圧ピストン５２は前方（図面左方向）への荷重を受け、またボール受け６３の貫通孔６３ａとピストンロッド５６の外周溝５６ａに当接しているラッチボール６１もピストンロッド５６によって、貫通孔６３ａから押し出す方向の荷重を受けるが、圧縮バネ６６の復元力を受けているボール押さえ６５によって押さえられているのでピストンロッド５６は、シリンダボディ４にラッチされ係着された状態になる。
【００２４】
（２）図２に示された状態の針無注射器１に薬液の入った容器、例えば図３に示す薬液バイアルＢをアダプタＡを介して装着した後、ノズルホルダ３を必要とする薬液量に該当する所定位置まで前進方向に回転させて薬液Ｙを吸入する。これにより、薬液バイアルＢ内の薬液がノズル２内に所定量だけ吸入され薬液噴射前の準備が完了する。
【００２５】
（３）注射は図４に示すようにレバー７１を引いて行なう。レバー７１が引かれると給排気ロッド７３が後退してストップ弁７５も後退して開き、ガス室９ａ内の高圧ガスＧが、外周溝７３ａ、流路９ｂ、９ｃを通ってガス室４ｄに供給される。ガス室４ｄが高圧になると、ボール押さえ６５の後部に高圧が加わりボール押さえ６５は圧縮バネ６６に抗して前方へ移動する。
【００２６】
ラッチボール６１にはピストンロッド５６を介して外周溝５６ａから押圧力が作用するので、ラッチボール６１は外周溝５６ａから押し出され、図５に示すようにピストンロッド５６とシリンダボディ４のラッチが解除され、受圧ピストン５２が高圧ガスにより受けている付勢力により、ピストンロッド５６は、ストッパ５５がノズルホルダ３の後部に当接するまで高速で前進し、薬液Ｙがノズル２の先端から噴射される。そしてレバー７１を放すと、図６に示すように圧縮バネ７６の復元力によって、給排気ロッド７３は元の位置に移動する。この状態では、ガス室９ａ、ガス室４ｄおよびガス室４１ａは高圧状態になる。
【００２７】
（４）薬液噴射終了時点から、再度、同量の薬液をノズル２に吸入するには、図７に示すようにノズル２の先端に薬液バイアルＢを装着し、供給方向切替ロッド８２を指で押して前進させる。これにより、高圧ガスＧは、ガス供給切替部８、流路９ｄ、９ｅを介してガス室４ｅに供給されると同時にガス室４１ａに残っていた高圧ガスＧは、継手１６、チューブ１５、継手１４を介してガス給排室８ａに入り、供給方向切替ロッド８２と本体の隙間９ｇを通って外部に排気される。これらの給排気動作によって、受圧ピストン５２は後退し、薬液バイアルＢからノズル２内に前回と同量の薬液Ｙが吸入される。なお、吸入薬液量を変える場合にはノズルホルダ３とシリンダボディ４との距離間隔を変更する。
【００２８】
（５）次に図８に示すようにレバー７１を引いて注射準備を完了する。レバー７１が引かれると、給排気ロッド７３が後退し、ガス室４ｄに残っていた高圧ガスＧが流路９ｃ、流路９ｂ、外周溝７３ａ、図２（Ｂ）に示す流路１２、１３を順次通過して図７のガス供給切替部８に至り、図６の場合と同様にガス室４ｄ内の高圧ガスが排気される。この排気により、ガス室４ｄ内が減圧し、圧縮バネ６６の復元力によってボール押さえ６５が後退する。したがってラッチボール６１がピストンロッド５６の外周溝５６ａに嵌合し、ピストンロッド５６はシリンダボディ４にラッチされ、レバー７１を放すことにより図３に示す状態と同様、再度の注射準備が完了する。
【００２９】
またあらかじめ、薬液Ｙの入ったノズル２を準備しておき、注射毎に別のノズル２に交換して注射を行なう場合の手順は以下のように行なう。
図２に示した手順の状態でノズル２は取り付けず、図３に示した状態のノズルホルダ３を前方方向へ移動させた状態でノズル２を装着する。注射を行なった後、図２の状態に戻したときに別のノズル２と交換する。
【産業上の利用可能性】
【００３０】
高圧ガスを動力源として、ノズルの噴射孔から一定量の薬液を吸入し、噴射させて注射を行なう針無注射器に利用される。
【図面の簡単な説明】
【００３１】
【図１】本発明の実施例による針無注射器の正面図（Ａ）、噴射・吸入切替部を含む縦断断面図（Ｂ）、背面図（Ｃ）およびガス供給切替部を含む縦断断面図（Ｄ）ある。
【図２】薬液バイアル装着前の時点の針無注射器の縦断断面図（Ａ）とその一部Ｌ−Ｍ断面図（Ｂ）である。
【図３】薬液吸入した時点の針無注射器の縦断断面図である。
【図４】薬液噴射開始時点の針無注射器の縦断断面図である。
【図５】薬液噴射終了前の時点の針無注射器の縦断断面図である。
【図６】薬液噴射終了時点の針無注射器の縦断断面図である。
【図７】再度の薬液吸入時点の針無注射器の縦断断面図である。
【図８】再度の薬液噴射前の時点の針無注射器の縦断断面図である。
【図９】従来の針無注射器の構成例を示す縦断断面図である。
【符号の説明】
【００３２】
１  針無注射器
２  ノズル
２ａ  噴射孔
２ｂ  中空孔
３  ノズルホルダ
３ａ  中空孔
３ｂ  おねじ
４  シリンダボディ
４ａ  めねじ
４ｂ  連通孔
４ｃ  隔壁
４ｄ  ガス室
４ｅ  ガス室
４１  キャップ
４１ａ  ガス室
４２  ねじ
５  薬液押圧具
５１  パッキン
５２  受圧ピストン
５３  パッキン
５４  ピストン
５５  ストッパ
５６  ピストンロッド
５６ａ  外周溝
６  ラッチ機構部
６ａ  おねじ
６１  ラッチボール
６２  ねじ
６３  ボール受け
６３Ａ  パッキン
６３Ｂ  パッキン
６３ａ  貫通孔
６４  パッキン
６４Ａ  パッキン
６５  ボール押さえ
６６  圧縮バネ
６７  バネストッパ
７  給排切替部
７１  レバー
７２  パッキン
７３  給排気ロッド
７３ａ  外周溝
７４  キャップ
７５  ストップ弁
７６  圧縮バネ
８  ガス供給切替部
８ａ  ガス給排室
８１  レバー
８２  供給方向切替ロッド
８２ａ  パッキン
８２ｂ  パッキン
８２ｃ  パッキン
８２ｄ  パッキン
９  グリップ
９ａ  ガス室
９ｂ  流路
９ｃ  流路
９ｄ  流路
９ｅ  流路
９ｆ  段差付中空孔
９ｇ  隙間
１０  チューブ
１１  継手
１２  流路
１３  流路
１４  継手
１５  チューブ
１６  継手
１０１  ノズル
１０１ａ  噴射孔
１０２  ピストン
１０３  圧縮バネ
１０４  前側グリップ
１０５  ピストンロッド
１０６  ラッチ機構
１０７  注射ボタン
１０８  後側グリップ
１０９  ネジ部
１１０  ネジ部
１１１  ナット
１１２  フランジリング
Ａ  アダプタ
Ｂ  薬液バイアル
Ｇ  高圧ガス
Ｙ  薬液
【図１】
2009247762.tif 000003
【図２】
2009247762.tif 000004
【図３】
2009247762.tif 000005
【図４】
2009247762.tif 000006
【図５】
2009247762.tif 000007
【図６】
2009247762.tif 000008
【図７】
2009247762.tif 000009
【図８】
2009247762.tif 000010
【図９】
2009247762.tif 000011